(57)【要約】【課題】連結具における雄連結具と雌連結具との間の脱着をスムーズに行う。【解決手段】雌連結具(110)は第一係止部(112B)と第二部分(113B)とを有しており、雄連結具(120)が雌連結具(110)の内部に挿入されると、第一係止部(112B)及び第二部分(113B)が雄連結具(120)に係止し、雄連結具(120)を雌連結具(110)の内部にロックする。第一係止部(112B)と雌連結具(110)の第二壁部(111B)とは、第一係止部(112B)が第二壁部(111B)に向かって移動したとしても、第一係止部(112B)が第二壁部(111B)と抵触しないような位置関係にあり、第二部分(113B)と雌連結具(110)の第一壁部(111A)とは、第二部分(113B)が第一壁部(111A)に向かって移動したとしても、第二部分(113B)が第一壁部(111A)と抵触しないような位置関係にある。【選択図】  図１
2013236924.tif 000002
【特許請求の範囲】
【請求項１】
小径部と大径部とを有する雄連結具と、雌連結具と、からなる連結具であって、
前記雌連結具は、前記雄連結具を内部に挿入した状態にロックすることが可能であるとともに、前記雌連結具に対する使用者による所定の動作に応じて、前記雄連結具に対するロックを解除し、前記雄連結具を抜き取ることを可能にする連結具において、
前記雌連結具は、
第一壁部と、
前記第一壁部から離れる方向に作用する弾性力を有している第二壁部と、
前記第一壁部から前記第二壁部に向かって延びる第一延長部及び前記第二壁部から前記第一壁部に向かって延びる第二延長部の少なくとも何れか一方と、
を備え、
前記第一延長部は第一係止部を備え、第二延長部は第二係止部を備えており、
前記雄連結具が前記雌連結具の内部に挿入されたときに、前記第一係止部及び前記第二係止部の少なくとも何れか一方は前記雄連結具と係合し、前記雄連結具に対する抜け止めとして機能し、
前記第一係止部と前記第二係止部との間には、前記大径部より小さい開口が形成されており、
前記第一係止部と前記第二壁部とは、前記第一係止部が前記第二壁部に向かって移動したとしても、前記第一係止部が前記第二壁部と抵触しないような位置関係に形成されており、
前記第二係止部と前記第一壁部とは、前記第二係止部が前記第一壁部に向かって移動したとしても、前記第二係止部が前記第一壁部と抵触しないような位置関係に形成されている連結具。
【請求項２】
前記雌連結具を内部に収容可能であり、前記雌連結具に代わって前記物品の他端を連結可能な収納部材をさらに備え、
前記収納部材には開口部が形成されており、当該開口部を介して前記雌連結具の前記第一壁部及び前記第二壁部の少なくとも何れか一方を押圧することが可能であることを特徴とする請求項１に記載の連結具。
【請求項３】
前記雌連結具の前記第一壁部及び前記第二壁部の少なくとも何れか一方を前記収納部材の外側から押圧するブロックをさらに備えており、
前記ブロックは前記収納部材の前記開口部から外側に突出していることを特徴とする請求項２に記載の連結具。
【請求項４】
前記収納部材は取り外し可能に相互に結合可能な複数のカバー部材からなるものであることを特徴とする請求項２または３に記載の連結具。
【請求項５】
前記一対のカバー部材は、前記雄連結具が前記雌連結具に挿入される方向において相互に結合可能であることを特徴とする請求項４に記載の連結具。
【請求項６】
前記一対のカバー部材は相互に回動可能であることを特徴とする請求項４に記載の連結具。
【請求項７】
前記雌連結具は、前記収納部材の内部に収容されたときに前記収納部材に係合する係合部材を備えていることを特徴とする請求項１乃至６の何れか一項に記載の連結具。
【請求項８】
前記雌連結具に代わって前記物品の他端を連結可能な連結用部材をさらに備え、
前記連結用部材は、前記雌連結具とともに前記収納部材の内部に収容され、前記収納部材から外側に突出しているものであることを特徴とする請求項１乃至７の何れか一項に記載の連結具。
【発明の詳細な説明】
【技術分野】
【０００１】
本発明は、相互に取り外し自在に連結する連結具に関する。例えば、本発明に係る連結具は、ライン状の装身具（例えば、ネックレス）の両端を相互に取り外し自在に装身具の両端の各々に連結する連結具として用いることができる。
【背景技術】
【０００２】
装身具用の連結具の一例として特開平９−１９１９１２号公報に記載されたものがある。
【０００３】
図３１は同公報に記載された連結具１０の斜視図、図３２は連結具１０を上方から見た場合の平面図である。
【０００４】
図３１に示すように、連結具１０は雌連結具１と雄連結具２とから構成されている。
【０００５】
雌連結具１は弾性を有する金属でつくられている。雌連結具１はほぼＵ字型の形状をなす本体１ａと、第一係止部１ｃと、第二係止部１ｄと、を備えている。
【０００６】
本体１ａは板バネとして機能する。すなわち、本体１ａの一方の先端の領域１ｊを他方の先端に向かって押すと、元の位置に戻ろうとする反発力が発生する。
【０００７】
第一係止部１ｃは、本体１ａの一方の先端の下端から他方の先端に向かって延び、その先端がＬ字型に上方に折り曲げられて形成されている。第二係止部１ｄは本体１ａの他方の先端の上端から一方の先端に向かって延び、その先端がＬ字型に下方に折り曲げられて形成されている。
【０００８】
第一係止部１ｃと第二係止部１ｄとは、それらの間に隙間１ｅが形成されるように、離間している。
【０００９】
本体１ａの頂点には孔１ｋが形成されており、装身具としてのライン状チェーン３の一端が孔１ｋに連結されている。
【００１０】
雄連結具２は平板状の部材であり、先端に近いほど幅が小さくなる先端部２ａと、先端部２ａの最大幅（先端部２ａの底辺の幅）よりも小さく、かつ、一定の幅を有する基端部２ｂと、を備えている。
【００１１】
基端部２ｂの一端（先端部２ａとは反対側の端部）には孔２ｃが形成されており、ライン状チェーン３の他端が孔２ｃに連結されている。
【００１２】
先端部２ａの最大幅は雌連結具１の隙間１ｅよりも大きくなるように設定されており、基端部２ｂの幅は隙間１ｅよりも小さく設定されている。
【００１３】
以上のような構造を有する連結具１０は以下のように使用される。
【００１４】
雄連結具２の先端部２ａを雌連結具１の第一係止部１ｃと第二係止部１ｄとの間の隙間１ｅに対向させた後、雄連結具２の先端部２ａを隙間１ｅの中に挿入する。雄連結具２の先端部２ａを押し込むと、本体１ａの弾性力に抗して、雄連結具２の先端部２ａによって第一係止部１ｃと第二係止部１ｄとの間の隙間１ｅが徐々に広げられる（すなわち、第一係止部１ｃと第二係止部１ｄとが相互に離れる方向に移動する）。
【００１５】
雄連結具２の先端部２ａをさらに押し込み、先端部２ａの底辺２ｄが第一係止部１ｃ及び第二係止部１ｄを通りすぎると、それまで先端部２ａによって相互に離れる方向に移動させられていた第一係止部１ｃと第二係止部１ｄとは、先端部２ａが押し広げようとする力を失い、本体１ａの弾性力の作用により、相互に近づく方向に移動し、当初の状態、すなわち、図３１に示した状態に復帰する。
【００１６】
この状態においては、図３２に示すように、雄連結具２の基端部２ｂは隙間１ｅの中に位置しているとともに、雄連結具２の先端部２ａの底辺２ｄは第一係止部１ｃ及び第二係止部１ｄに係止している。雄連結具２の先端部２ａの底辺２ｄが第一係止部１ｃ及び第二係止部１ｄに係止することにより、雌連結具１と雄連結具２とが相互に連結された状態になる。すなわち、チェーン３の両端が連結された状態になる。
【００１７】
雌連結具１と雄連結具２とが相互に連結された状態において、本体１ａの二つの先端の領域１ｊを相互に近づく方向に押すと、雌連結具１の第一係止部１ｃと第二係止部１ｄとが、本体１ａの弾性力に抗して、相互に離れる方向に移動し、それらの間の隙間１ｅが広げられる。
【００１８】
隙間１ｅが広げられると、雄連結具２の先端部２ａの底辺２ｄと雌連結具１の第一係止部１ｃ及び第二係止部１ｄとの間の係止が解除されるため、雄連結具２を雌連結具１から抜き取ることができ、雌連結具１と雄連結具２との連結が解除される（すなわち、図３１の状態になる）。
【００１９】
連結具の他の例として特開２０００−３１６６１６号公報に記載されたものがある。
【００２０】
図３３は同公報に記載された連結具４０の斜視図、図３４は連結具４０の分解斜視図、図３５は連結具４０の縦断面図である。
【００２１】
図３３に示すように、連結具４０は、棒状のオス金具４２と、中空の箱型からなるメス金具５０とから構成されている。
【００２２】
オス金具４２はメス金具５０の内部に挿入することが可能であり、さらに、メス金具５０から取り出すことが可能である。すなわち、オス金具４２とメス金具５０とは相互の連結及び連結の解除が可能である。
【００２３】
ネックレスやチェーンなどのライン状の装身具の一端にオス金具４２が取り付けられ、他端にはメス金具５０が取り付けられる。オス金具４２とメス金具５０とを連結することにより、ライン状の装身具がリング状となり、例えば、首に掛けることが可能になる。首から取り外すときには、オス金具４２とメス金具５０との連結を解除することにより、リング状の装身具がライン状に戻り、容易に取り外すことができる。
【００２４】
オス金具４２は先端に先細の頭部４５を有しており、後端付近にはリング状の溝４７が形成されている。さらに、オス金具４２の後端には接続用リング４９が取り付けられており、この接続用リング４９にライン状の装身具の一端が連結される。
【００２５】
図３３及び図３４に示すように、メス金具５０は、下方が開口している箱型の蓋体５１と、上方が開口し、蓋体５１の内側に嵌入可能な大きさを有する底体６０と、から構成されている。
【００２６】
蓋体５１の壁部（オス金具４２が挿入される側の壁部）には、オス金具４２が通過可能な挿入口５７が形成されている。
【００２７】
また、図３４に示すように、蓋体５１の内側底面上には筒状の２個の案内部５４が形成されている。案内部５４は挿入口５７と同様の内径を有しており、挿入口５７を介してメス金具５０に挿入されたオス金具４２は２個の案内部５４により支持される。
【００２８】
蓋体５１の相互に対向する一対の側壁５３には貫通孔５５が形成されており、この貫通孔５５に支軸５８が挿入される。
【００２９】
蓋体５１の挿入口５７とは反対側の端部には接続用リング５９が取り付けられており、この接続用リング５９にライン状の装身具の他端が連結される。
【００３０】
図３４に示すように、底体６０の壁部の上端には半円形状の切欠きからなる係止凹部６１が形成されている。係止凹部６１はオス金具４２の溝４７に係合可能な大きさを有している。
【００３１】
底体６０の外側底面には複数の凹凸からなる滑り止め６２が形成されている。また、底体６０の相互に対向する一対の側壁６３には貫通孔６５が形成されている。
【００３２】
支軸５８は、蓋体５１の貫通孔５５、底体６０の貫通孔６５及びコイルばね６７の孔（参照符号なし）に通されることにより、蓋体５１と底体６０とを支軸５８の回りに回動可能に連結するとともに、コイルばね６７を蓋体５１及び底体６０の内部に固定する。
【００３３】
すなわち、この状態においては、蓋体５１と底体６０とは支軸５８を中心として相互に回動可能もしくは開閉可能であり、さらに、コイルばね６７の両端がそれぞれ蓋体５１と底体６０とを内面側から押圧するため、蓋体５１と底体６０はコイルばね６７の付勢力により相互に閉じる方向（図３３または図３５に示す状態）に付勢される。
【００３４】
連結具４０は以下のようにして使用される。
【００３５】
挿入口５７を介してオス金具４２をメス金具５０の内部に挿入すると、オス金具４２は係止凹部６１を介して底体６０を下方に押し下げながら、メス金具５０の内部に向かって進行する。
【００３６】
オス金具４２をさらに挿入すると、オス金具４２は案内部５４にガイドされつつ、進行する。オス金具４２の溝４７が係止凹部６１に到達した時点において、コイルばね６７の付勢力により、底体６０が押し上げられ、係止凹部６１が溝部４７に嵌合し、オス金具４２とメス金具５０とは相互に連結された状態となる。
【００３７】
オス金具４２をメス金具５０から取り外すときには、底体６０の滑り止め６２を押圧する。これにより、底体６０が支軸５８を中心として蓋体５１に対して回動し、係止凹部６１が下降し、オス金具４２の溝４７との係合が解除される。この後、オス金具４２をメス金具５０から引き抜くことが可能になる。
【００３８】
図３６は上記公報に記載された他の実施形態に係る連結具４１の斜視図である。
【００３９】
図３３乃至図３５に示した連結具４０においては、蓋体５１の内面側に案内部５４が形成されているのに対して、本実施形態に係る連結具４１においては、蓋体５１には案内部５４は形成されておらず、その代わりに、蓋体５１とは別体の部品である案内片７０を用いる。
【００４０】
案内片７０は、相互に対向する一対の立壁７１を有しており、立壁７１の各々には貫通孔７２が形成されている。支軸５８が貫通孔７２に通されることにより、案内片７０はコイルばね６７とともに底体６０の内部に装填される。
【００４１】
オス金具４２の装着及び取り外しの仕方は連結具４０の場合と同様である。
【先行技術文献】
【特許文献】
【００４２】
【特許文献１】特開平９−１９１９１２号公報
【特許文献２】特開２０００−３１６６１６号公報
【発明の概要】
【発明が解決しようとする課題】
【００４３】
従来の連結具１０においては、図３１及び図３２に示すように、第一係止部１ｃ及び第二係止部１ｄは何れも本体１ａの内壁に対向している。このため、第一係止部１ｃ及び第二係止部１ｄの最大で本体１ａの内壁までしか移動することができない。
【００４４】
このため、第一係止部１ｃ及び第二係止部１ｄと本体１ａの内壁との間の距離が小さいと、先端部２ａを隙間１ｅに挿入したときに、第一係止部１ｃ及び第二係止部１ｄが本体１ａの内壁に当たり、先端部２ａが通過できる程度に隙間１ｅを広げられないことがあった。同様に、第一係止部１ｃ及び第二係止部１ｄと本体１ａの内壁との間の距離が小さいと、雄連結具２を雌連結具１から抜き取るときに、本体１ａの二つの先端の領域１ｊを押しても、隙間１ｅが十分に広がらずに、雄連結具２を雌連結具１から抜き取ることができない、あるいは、最終的に抜き取ることができたとしても、先端部２ａの底辺２ｄが第一係止部１ｃ及び第二係止部１ｄに引っ掛かって、雄連結具２を雌連結具１から極めて抜き取り難い状況が生じていた。
【００４５】
また、従来の連結具４０においては、図３３乃至図３５に示すように、連結具４０及び４１の組み立てには支軸５８が使用される。この支軸５８は長さ約５乃至１０ｍｍ、直径約０．５乃至１．０ｍｍのピンからなる。このように極めて小さな支軸５８を用いて連結具４０及び４１を組み立てるためには、かなりの熟練度と時間とを必要とする。
【００４６】
さらに、コイルばね６７も長さ、高さ及び幅ともに数ｍｍ単位の大きさのものであり、コイルばね６７が形成する孔も支軸５８がかろうじて通過し得る程度の大きさであるため、コイルばね６７を蓋体５１と底体６０の内部に組み込み、さらに、コイルばね６７が形成している孔に支軸５８を挿入することはかなりの熟練度と時間とを必要とする。
【００４７】
すなわち、従来の連結具４０及び４１は支軸５８及びコイルばね６７のようなサイズの小さい部品を用いて組み立てられるため、かなりの熟練度を有する作業者が組み立てるにしても、かなりの時間を組み立てに必要とするものであった。
【００４８】
本発明はこのような従来の連結具１０、４０及び４１における問題点に鑑みてなされたものであり、雄連結具２と雌連結具１との間の脱着をスムーズに行うことができるとともに、部品の数、特に、支軸５８やコイルばね６７のようなサイズの小さい部品の数を減らし、全体の組み立て時間を減少させることができる連結具を提供することを目的とする。
【課題を解決するための手段】
【００４９】
上記の目的を達成するため、本発明は、小径部（１２１）と大径部とを有する雄連結具（１２０）と、雌連結具（１１０）と、からなる連結具（１００）であって、前記雌連結具（１１０）は、前記雄連結具（１２０）を内部に挿入した状態にロックすることが可能であるとともに、前記雌連結具（１１０）に対する使用者による所定の動作に応じて、前記雄連結具（１２０）に対するロックを解除し、前記雄連結具（１２０）を抜き取ることを可能にする連結具（１００）において、前記雌連結具（１１０）は、第一壁部（１１１Ａ）と、前記第一壁部（１１１Ａ）から離れる方向に作用する弾性力を有している第二壁部（１１１Ｂ）と、前記第一壁部から前記第二壁部に向かって延びる第一延長部（１１２）及び前記第二壁部から前記第一壁部に向かって延びる第二延長部（１１３）の少なくとも何れか一方と、を備え、前記第一延長部は第一係止部（１１２Ｂ）を備え、第二延長部は第二係止部（１１３Ｂ）を備えており、前記雄連結具が前記雌連結具の内部に挿入されたときに、前記第一係止部（１１２Ｂ）及び前記第二係止部（１１３Ｂ）の少なくとも何れか一方は前記雄連結具と係合し、前記雄連結具に対する抜け止めとして機能し、前記第一係止部と前記第二係止部との間には、前記大径部より小さい開口（１１５）が形成されており、前記第一係止部と前記第二壁部とは、前記第一係止部が前記第二壁部に向かって移動したとしても、前記第一係止部が前記第二壁部と抵触しないような位置関係に形成されており、前記第二係止部と前記第一壁部とは、前記第二係止部が前記第一壁部に向かって移動したとしても、前記第二係止部が前記第一壁部と抵触しないような位置関係に形成されている連結具を提供する。
【００５０】
本発明に係る連結具は、前記雌連結具を内部に収容可能であり、前記雌連結具に代わって前記物品の他端を連結可能な収納部材（３３０）をさらに備えることが好ましい。この場合、前記収納部材には開口部（３３２）が形成されており、当該開口部を介して前記雌連結具の前記第一壁部及び前記第二壁部の少なくとも何れか一方を押圧することが可能であるように形成される（例えば、図２１及び図２２参照）。
【００５１】
本発明に係る連結具は、前記雌連結具の前記第一壁部及び前記第二壁部の少なくとも何れか一方を前記収納部材の外側から押圧するブロック（３４０）をさらに備えていることが好ましく、前記ブロックは前記収納部材の前記開口部から外側に突出している（例えば、図２１及び図２２参照）。
【００５２】
例えば、前記収納部材は取り外し可能に相互に結合可能な複数のカバー部材（３６１，３６２）として形成することができる（例えば、図２３及び図２４参照）。
【００５３】
例えば、前記一対のカバー部材（３７１，３７２）は、前記雄連結具が前記雌連結具に挿入される方向において相互に結合可能であるように形成することができる（例えば、図２５及び図２６参照）。
【００５４】
例えば、前記一対のカバー部材（３８１，３８２）は相互に回動可能であるように形成することができる（例えば、図２７参照）。
【００５５】
前記雌連結具は、前記収納部材の内部に収容されたときに前記収納部材に係合する係合部材（３７４）を備えていることが好ましい（例えば、図２５から図２７参照）。
【００５６】
本発明に係る連結具は、前記雌連結具に代わって前記物品の他端を連結可能な連結用部材（３９５，３９６）をさらに備えることが好ましく、この場合、前記連結用部材は、前記雌連結具とともに前記収納部材の内部に収容され、前記収納部材から外側に突出しているように形成される（例えば、図３１から図３６参照）。
【００５７】
なお、図番及び参照符号は実施形態との対応関係を示すためにのみ付したものであり、本発明の技術的範囲を対応する実施形態に限定するものではない。
【発明の効果】
【００５８】
本発明に係る連結具においては、第一係止部と第二壁部とは、第一係止部が第二壁部に向かって移動したとしても、第一係止部が第二壁部と抵触しないような位置関係に形成されており、さらに、第二係止部と第一壁部とは、第二係止部が第一壁部に向かって移動したとしても、第二係止部が第一壁部と抵触しないような位置関係に形成されている。このため、雄連結具を雌連結具に挿入するとき、あるいは、雄連結具を雌連結具から抜き取るときに、雄連結具が雌連結具の第一係止部または第二係止部に引っ掛かることを防止することが可能であり、ひいては、雄連結具を円滑に雌連結具に挿入することができ、あるいは、雄連結具を円滑に雌連結具から抜き取ることが可能である。
【００５９】
また、本発明に係る連結具は、支軸５８やコイルばね６７のようなサイズの小さい部品を使用しないものとして構成されているため、部品数の減少及び組み立て時間の減少を実現することができる。
【図面の簡単な説明】
【００６０】
【図１】本発明の第一の実施形態に係る連結具の斜視図である。
【図２】本発明の第一の実施形態に係る連結具の斜視図である。
【図３】本発明の第一の実施形態に係る連結具の第一の変形例に係る連結具の斜視図である。
【図４】本発明の第一の実施形態に係る連結具の第一の変形例に係る連結具の斜視図である。
【図５】本発明の第一の実施形態に係る連結具の第二の変形例に係る連結具の斜視図である。
【図６】本発明の第一の実施形態に係る連結具の第二の変形例に係る連結具の斜視図である。
【図７】本発明の第一の実施形態に係る連結具の第三の変形例に係る連結具の斜視図である。
【図８】本発明の第一の実施形態に係る連結具の第三の変形例に係る連結具の斜視図である。
【図９】本発明の第一の実施形態に係る連結具の第三の変形例の変形例に係る連結具の斜視図である。
【図１０】本発明の第一の実施形態に係る連結具の第三の変形例の変形例に係る連結具の斜視図である。
【図１１】本発明の第一の実施形態に係る連結具の第四の変形例に係る連結具の斜視図である。
【図１２】本発明の第一の実施形態に係る連結具の第四の変形例に係る連結具の斜視図である。
【図１３】第本発明の一の実施形態に係る連結具の第五の変形例に係る連結具の斜視図である。
【図１４】第本発明の一の実施形態に係る連結具の第五の変形例に係る連結具の斜視図である。
【図１５】第一の実施形態に係る連結具の第六の変形例に係る連結具の斜視図である。
【図１６】図１５に示した連結具の雌連結具の一部を除去した分解斜視図である。
【図１７】本発明の第二の実施形態に係る連結具の分解斜視図である。
【図１８】本発明の第二の実施形態に係る連結具をカバー部材の内部に収納させた状態における平面図（上方から見た図）である。
【図１９】本発明の第二の実施形態に係る連結具をカバー部材の内部に収納させた状態における側面図（水平方向から見た図）である。
【図２０】本発明の第二の実施形態に係る連結具をカバー部材の内部に収納させた状態において、雌連結具の第二部分及び第五部分を相互に向う方向に押した場合の側面図である。
【図２１】本発明の第三の実施形態に係る連結具の分解斜視図である。
【図２２】本発明の第三の実施形態に係る連結具において雄連結具が雌連結具の内部に係合した状態における断面図である。
【図２３】本発明の第三の実施形態の第一の変形例に係る連結具の分解斜視図である。
【図２４】本発明の第三の実施形態の第一の変形例に係る連結具において雄連結具が雌連結具の内部に係合した状態における断面図である。
【図２５】本発明の第三の実施形態の第二の変形例に係る連結具の分解斜視図である。
【図２６】本発明の第三の実施形態の第二の変形例に係る連結具において雄連結具が雌連結具の内部に係合した状態における断面図である。
【図２７】本発明の第三の実施形態の第三の変形例に係る連結具の分解斜視図である。
【図２８】本発明の第三の実施形態の第四の変形例に係る連結具の分解斜視図である。
【図２９】本発明の第三の実施形態の第四の変形例に係る連結具において、雄連結具を雌連結具に挿入していない場合の連結具の正面図である。
【図３０】本発明の第三の実施形態の第四の変形例に係る連結具において、雄連結具を雌連結具に挿入している場合の連結具の横断面図である。
【図３１】本発明の第三の実施形態の第五の変形例に係る連結具の分解斜視図である。
【図３２】本発明の第三の実施形態の第五の変形例に係る連結具において、雄連結具を雌連結具に挿入していない場合の連結具の正面図である。
【図３３】本発明の第三の実施形態の第五の変形例に係る連結具において、雄連結具を雌連結具に挿入している場合の連結具の横断面図である。
【図３４】本発明の第三の実施形態の第六の変形例に係る連結具の分解斜視図である。
【図３５】本発明の第三の実施形態の第六の変形例に係る連結具において、雄連結具を雌連結具に挿入していない場合の連結具の正面図である。
【図３６】本発明の第三の実施形態の第六の変形例に係る連結具において、雄連結具を雌連結具に挿入している場合の連結具の横断面図である。
【図３７】第一の従来の連結具の斜視図である。
【図３８】第一の従来の連結具上方から見た場合の平面図である。
【図３９】第二の従来の連結具の斜視図である。
【図４０】第二の従来の連結具の分解斜視図である。
【図４１】第二の従来の連結具の縦断面図である。
【図４２】第三の従来の連結具の斜視図である。
【発明を実施するための形態】
【００６１】
（第一の実施形態）
図１及び図２は本発明の第一の実施形態に係る連結具１００の斜視図である。
【００６２】
図１に示すように、連結具１００は装身具用の連結具として形成されており（以下の実施形態及び変形例においても同様である）、連結具１００は雌連結具１１０と雄連結具１２０とから構成されている。
【００６３】
雌連結具１１０は、横断面がほぼＵ字型の形状をなす本体１１１と、第一延長部１１２と、第二延長部１１３と、を備えている。
【００６４】
本体１１１は、平板状の第一壁部１１１Ａと、第一壁部１１１Ａと平行に延び、第一壁部１１１Ａとほぼ同一の形状をなしている第二壁部１１１Ｂと、第一壁部１１１Ａの一端と第二壁部１１１Ｂの一端を連結するＣ字型形状の連結壁１１１Ｃと、から構成されている。
【００６５】
本体１１１は弾性を有する金属その他の材料でつくられている。このため、本体１１１は板バネとして機能する。具体的には、本体１１１の第一壁部１１１Ａには第二壁部１１１Ｂから離れる方向に作用する弾性力が作用しており、本体１１１の第一壁部１１１Ａを第二壁部１１１Ｂに向かって押すと、第一壁部１１１Ａには元の位置に戻ろうとする反発力が発生する。同様に、本体１１１の第二壁部１１１Ｂには第一壁部１１１Ａから離れる方向に作用する弾性力が作用しており、本体１１１の第二壁部１１１Ｂを第一壁部１１１Ａに向かって押すと、第二壁部１１１Ｂには元の位置に戻ろうとする反発力が発生する。
【００６６】
第一延長部１１２は、第一壁部１１１Ａの先端の上縁から第二壁部１１１Ｂに向かって延びる第一部分１１２Ａと、第一部分１１２Ａの先端の前縁（連結壁１１１Ｃとは反対側の縁）から下方に延びる第二部分１１２Ｂと、を備えている。
【００６７】
第一部分１１２Ａは第二壁部１１１Ｂには到達しない長さを有している。このため、図１に示す状態（第一壁部１１１Ａが第二壁部１１１Ｂに向かって押されていない状態）においては、第一部分１１２Ａの先端は第二壁部１１１Ｂと干渉していない。
【００６８】
さらに、第二壁部１１１Ｂには第一部分１１２Ａの延長線上に切り欠き１１３が形成されている。このため、第一壁部１１１Ａが第二壁部１１１Ｂに向かって押された場合であっても、第一部分１１２Ａは切り欠き１１３を通過するため、第一部分１１２Ａは第二壁部１１１Ｂとは干渉しない。
【００６９】
第二部分１１２Ｂは第二壁部１１１Ｂの先端よりも前方に位置している。このため、第二部分１１２Ｂは、図１に示す状態（第一壁部１１１Ａが第二壁部１１１Ｂに向かって押されていない状態）においても、さらに、第一壁部１１１Ａが第二壁部１１１Ｂに向かって押された場合であっても、第二部分１１２Ｂは第二壁部１１１Ｂとは干渉しない。
【００７０】
第二延長部１１３は、第二壁部１１１Ｂの先端の下端から第一壁部１１１Ａに向かって延びる第一部分１１３Ａと、第一部分１１３Ａの先端の前縁（連結壁１１１Ｃとは反対側の縁）から上方に延びる第二部分１１３Ｂと、を備えている。
【００７１】
第一部分１１３Ａは第一壁部１１１Ａには到達しない長さを有している。このため、図１に示す状態（第二壁部１１１Ｂが第一壁部１１１Ａに向かって押されていない状態）においては、第一部分１１３Ａの先端は第一壁部１１１Ａと干渉していない。
【００７２】
さらに、第一壁部１１１Ａには第一部分１１３Ａの延長線上に切り欠き１１４が形成されている。このため、第二壁部１１１Ｂが第一壁部１１１Ａに向かって押された場合であっても、第一部分１１３Ａは切り欠き１１４を通過するため、第一部分１１３Ａは第一壁部１１１Ａとは干渉しない。
【００７３】
第二部分１１３Ｂは第一壁部１１１Ａの先端よりも前方に位置している。このため、第二部分１１３Ｂは、図１に示す状態（第二壁部１１１Ｂが第一壁部１１１Ａに向かって押されていない状態）においても、さらに、第二壁部１１１Ｂが第一壁部１１１Ａに向かって押された場合であっても、第二部分１１３Ｂは第一壁部１１１Ａとは干渉しない。
【００７４】
第一延長部１１２の第二部分１１２Ｂと第二延長部１１３の第二部分１１３Ｂとは、それらの間に長さＬ（第一壁部１１１Ａから第二壁部１１１Ｂに向かう方向における長さ）の隙間１１５が形成されるように、離間している。
【００７５】
本体１１１の連結壁１１１Ｃの頂点には連結環１１６が形成されており、ネックレスその他のライン状装身具の一端が連結環１１６に連結される。
【００７６】
雄連結具１２０は板状の部材であり、先端に近いほど幅が小さくなっており、基端（先端とは反対側の端部）に近い位置には両端において小径部としての切り込み１２１が形成されている。
【００７７】
雄連結具１２０の基端には連結環１２２が形成されており、ライン状装身具の他端が連結環１２２に連結される。
【００７８】
雄連結具１２０の最大幅は雌連結具１１０の隙間１１５の長さＬよりも大きくなるように設定されており、切り込み１２１の間の幅は隙間１１５の長さＬよりも小さく設定されている。
【００７９】
以上のような構造を有する第一の実施形態に係る連結具１００は以下のように使用される。
【００８０】
先ず、雄連結具１２０を雌連結具１１０の第一延長部１１２の第二部分１１２Ｂと第二延長部１１３の第二部分１１３Ｂとの間の隙間１１５に対向させた後、雄連結具１２０を隙間１１５の中に挿入する。雄連結具１２０を隙間１１５に押し込むと、本体１１１の弾性力に抗して、雄連結具１２０によって第二部分１１２Ｂと第二部分１１３Ｂとの間の隙間１１５が徐々に広げられる（すなわち、第二部分１１２Ｂと第二部分１１３Ｂとが相互に離れる方向に移動する）。
【００８１】
雄連結具１２０をさらに押し込み、切り込み１２１の前縁が第一延長部１１２の第二部分１１２Ｂ及び第二延長部１１３の第二部分１１３Ｂを通りすぎると、それまで雄連結具１２０によって相互に離れる方向に移動させられていた第一延長部１１２の第二部分１１２Ｂ及び第二延長部１１３の第二部分１１３Ｂは、雄連結具１２０が押し広げようとする力が失われるため、本体１１１の弾性力の作用により、相互に近づく方向に移動し、当初の状態、すなわち、図１に示した状態に復帰する。
【００８２】
この状態においては、第一延長部１１２の第二部分１１２Ｂ及び第二延長部１１３の第二部分１１３Ｂは雄連結具１２０の各切り込み１２１に係止している。第一延長部１１２の第二部分１１２Ｂ及び第二延長部１１３の第二部分１１３Ｂが各切り込み１２１に係止することにより、図２に示すように、雌連結具１１０と雄連結具１２０とが相互に連結された状態になる。すなわち、ライン状装身具の両端が連結された状態になる。
【００８３】
雌連結具１１０と雄連結具１２０とが相互に連結された状態において、本体１１１の第一壁部１１１Ａと第二壁部１１１Ｂとを相互に近づく方向に押すと、雌連結具１１０の第一延長部１１２の第二部分１１２Ｂと第二延長部１１３の第二部分１１３Ｂとが、本体１１１の弾性力に抗して、相互に離れる方向に移動し、それらの間の隙間１１５が広げられる。
【００８４】
隙間１１５が広げられると、雌連結具１１０の第一延長部１１２の第二部分１１２Ｂ及び第二延長部１１３の第二部分１１３Ｂと雄連結具１２０の各切り込み１２１との間の係止が解除されるため、雄連結具１２０を雌連結具１１０から抜き取ることができ、雌連結具１１０と雄連結具１２０との連結が解除される。
【００８５】
本実施形態に係る連結具１００は次の効果を奏する。
【００８６】
図３１に示した従来の連結具１０においては、先端部２ａを隙間１ｅに挿入したときに、第一係止部１ｃ及び第二係止部１ｄが本体１ａの内壁に当たり、先端部２ａが通過できる程度に隙間１ｅを広げられない、あるいは、雄連結具２を雌連結具１から抜き取るときに、本体１ａの二つの先端の領域１ｊを押しても、隙間１ｅが十分に広がらずに、雄連結具２を雌連結具１から抜き取ることができないなどの問題点があった。
【００８７】
これに対して、本実施形態に係る連結具１００においては、雌連結具１１０の第一延長部１１２の第二部分１１２Ｂは、第一壁部１１１Ａが第二壁部１１１Ｂに向かって移動した場合であっても、第二壁部１１１Ｂとは干渉せず、同様に、雌連結具１１０の第二延長部１１３の第二部分１１３Ｂは、第二壁部１１１Ｂが第一壁部１１１Ａに向かって移動した場合であっても、第一壁部１１１Ａとは干渉しない。
【００８８】
このように、本実施形態に係る連結具１００においては、隙間１１５を十分に広げることが可能であるため、従来の連結具１０とは異なり、雄連結具１２０を雌連結具１１０に挿入する場合にも、あるいは、雄連結具１２０を雌連結具１１０から抜き取る場合でも、円滑に行うことが可能である。
【００８９】
本実施形態に係る連結具１００は上記の構造に限定されるものではなく、種々の改変が可能である。
【００９０】
本実施形態に係る連結具３００においては、連結壁１１１ＣがＣ字型形状をなしているため、雌連結具１１０は全体としてＵ字型形状をなしているが、雄連結具１１０の形状はＵ字型形状には限定されない。
【００９１】
例えば、雌連結具１１０の連結壁１１１Ｃを矩形形状とすることも可能であり、あるいは、台形形状とすることも可能である。
【００９２】
（第一の変形例）
上述の第一の実施形態に係る連結具１００は上記の構造に限定されるものではなく、以下に示すように、種々の構造上の変形を施すことが可能である。
【００９３】
図３及び図４は、第一の実施形態に係る連結具１００の第一の変形例に係る連結具１００Ａの斜視図である。
【００９４】
連結具１００Ａは、第一の実施形態に係る連結具１００と比較して、第一延長部及び第二延長部の形状が異なっている。
【００９５】
連結具１００Ａの第一延長部１１２１は第一壁部１１１Ａの上縁から第二壁部１１１Ｂに向かって延びる第一部分１１２１Ａと、第一部分１１２１Ａの前端から下方に延びる第一係止部１１２１Ｂと、からなる。
【００９６】
第一部分１１２１Ａは第二壁部１１１Ｂには到達しない長さを有している。
【００９７】
第二壁部１１１Ｂには第一延長部１１２１の第一部分１１２１Ａの延長線上に切り欠き１１３が形成されており、第一延長部１１２１が第二壁部１１１Ｂに向かって移動した場合であっても、第一部分１１２１Ａは第二壁部１１１Ｂとは干渉しない。
【００９８】
第一延長部１１２１の第二部分１１２１Ｂは第一部分１１２１Ａの全幅よりも小さい幅を有しており、第二部分１１２１Ｂは全体として第二壁部１１１Ｂよりも前方に位置するように形成されている。このため、第一延長部１１２１が第二壁部１１１Ｂに向かって移動した場合であっても、第二部分１１２１Ｂは第二壁部１１１Ｂとは干渉しない。
【００９９】
連結具１００の第二延長部１１３の第一部分１１３Ａはその全幅が第二壁部１１１Ｂと重なるように形成されているのに対して、連結具１００Ａの第二延長部１１３１の第一部分１１３１Ａは、その一部の幅が第二壁部１１１Ｂの先端を通り越しており、第一部分１１３１Ａの全幅は第二壁部１１１Ｂとは部分的に重なり合っている。
【０１００】
図４に示すように、連結具１００Ａにおいては、第二延長部１１３１の第二部分１１３１Ｂのみが雄連結具１２０の左側の切り込み１２１に係止し、第一延長部１１２１の第二部分１１２１Ｂは右側の切り込み１２１には係止せず、雄連結具１２０の側面に当接する。
【０１０１】
第一の実施形態に係る連結具１００においては、図２に示すように、第二延長部１１２の第二部分１１２Ｂ及び第二部分１１３の第二部分１１３Ｂの双方が雄連結具１２０の切り込み１２１に係止していたのに対して、本変形例に係る連結具１００Ａにおいては、第一延長部１１２１は切り込み１２１には係止せず、第二延長部１１３１の第二部分１１３１Ｂのみが雄連結具１２０の切り込み１２１に係止している。このように、第一延長部１１２１及び第二延長部１１３１の双方が切り込み１２１に係止することは必ずしも必要ではなく、何れか一方のみを切り込み１２１に係止させることも可能である。
【０１０２】
以上のような第一延長部１１２１及び第二延長部１１３１の形状の相違を除いて、連結具１００Ａは連結具１００と同一の構造を有している。
【０１０３】
連結具１００Ａは連結具１００と同様の動作を行い、連結具１００と同様の効果を奏する。
【０１０４】
なお、連結具１００Ａにおいては、第一壁部１１１Ａ及び第二壁部１１１Ｂにそれらを押しやすくするためのブロック１１７が形成されている。
【０１０５】
（第二の変形例）
図５及び図６は、第一の実施形態に係る連結具１００の第二の変形例に係る連結具１００Ｂの斜視図である。
【０１０６】
連結具１００Ｂは、第一の実施形態に係る連結具１００と比較して、第一延長部及び第二延長部の形状が異なっている。
【０１０７】
連結具１００Ｂの第一延長部１１２２は第一壁部１１１Ａの下縁から第二壁部１１１Ｂに向かって斜めに延びる第一部分１１２２Ａと、第一部分１１２２Ａの前端から上方に延びる第一係止部１１２２Ｂと、からなる。
【０１０８】
第一部分１１２２Ａは第二壁部１１１Ｂには到達しない長さを有している。
【０１０９】
また、第一部分１１２２Ａは第二壁部１１１Ｂの下縁より下方に位置している。このため、第一延長部１１２２が第二壁部１１１Ｂに向かって移動した場合であっても、第一部分１１２１Ａは第二壁部１１１Ｂとは干渉しない。
【０１１０】
また、第一延長部１１２２の第一係止部１１２２Ｂは第一部分１１２２Ａの全幅よりも小さい幅を有しており、第一係止部１１２２Ｂは全体として第二壁部１１１Ｂよりも前方に位置するように形成されている。このため、第一延長部１１２２が第二壁部１１１Ｂに向かって移動した場合であっても、第一係止部１１２１Ｂは第二壁部１１１Ｂとは干渉しない。
【０１１１】
連結具１００Ｂの第二延長部１１３２は第二壁部１１１Ｂの上縁から第一壁部１１１Ａに向かって斜めに延びる第一部分１１３２Ａと、第一部分１１３２Ａの前端から下方に延びる第二部分１１３２Ｂと、からなる。
【０１１２】
第二延長部１１３２の第一部分１１３２Ａ及び第二部分１１３２Ｂは第一延長部１１２２の第一部分１１２２Ａ及び第一係止部１１２２Ｂと上下対称に形成されている。
【０１１３】
以上のような第一延長部１１２２及び第二延長部１１３２の形状の相違を除いて、連結具１００Ｂは連結具１００と同一の構造を有している。
【０１１４】
連結具１００Ｂは連結具１００と同様の動作を行い、連結具１００と同様の効果を奏する。
【０１１５】
（第三の変形例）
図７及び図８は、第一の実施形態に係る連結具１００の第三の変形例に係る連結具１００Ｃの斜視図である。
【０１１６】
連結具１００Ｃは、連結具１００と比較して、雄連結具の形状が異なる。具体的には、連結具１００における雄連結具１２０は板状であるのに対して、連結具１００Ｃにおける雄連結具１２０Ｃは棒状をなしている。
【０１１７】
雄連結具１２０Ｃには小径部としての溝１２１Ｃが形成されている。雄連結具１２０Ｃの溝１２１Ｃは雄連結具１２０における切り込み１２１に対応するものである。
【０１１８】
連結具１００Ｃの雌連結具１１０Ｃの構造は基本的には連結具１００（図１及び図２）の雌連結具１１０と同様である。雌連結具１１０Ｃと雌連結具１１０との相違点は、雌連結具１１０においては、第一壁部１１１Ａ及び第二壁部１１１Ｂが水平方向に移動するのに対して、雌連結具１１０Ｃにおいては、第一壁部１１１Ａ及び第二壁部１１１Ｂが上下方向に移動する点だけである。
【０１１９】
連結具１００Ｃは連結具１００と同様の動作を行い、連結具１００と同様の効果を奏する。
【０１２０】
連結具１００（図１及び図２）と連結具１００Ｃとの比較から明らかであるように、雄連結具は板状（図１及び図２の雄連結具１２０）であっても、棒状（図７及び図８の雄連結具１２０Ｃ）であってもよい。
【０１２１】
図９及び図１０は連結具１００Ｃの変形例に係る連結具１００ＣＡの斜視図である。
【０１２２】
連結具１００ＣＡにおいては、雄連結具１２０Ｃが棒状であることに対応して、雌連結具１１０Ｃにおける第一延長部１１２の第二部分１１２ＢＡ及び第二延長部１１３の第二部分１１３ＢＡはＪ字型形状をなしている。第二部分１１２ＢＡ及び第二部分１１３ＢＡをＪ字型形状にすることにより、雄連結具１２０Ｃの溝１２１Ｃに係合することが容易になる。
【０１２３】
（第四の変形例）
図１１及び図１２は、第一の実施形態に係る連結具１００の第四の変形例に係る連結具１００Ｄの斜視図である。
【０１２４】
連結具１００Ｄは、第三の変形例に係る連結具１００Ｃと比較して、第一延長部及び第二延長部の形状が異なっている。
【０１２５】
連結具１００Ｄの雌連結具１１０Ｄにおける第一延長部１１２４は第一壁部１１１Ａの先端と直角をなして形成されている。第一延長部１１２４には雄連結具１２０Ｄが通過可能な円形の孔１１２４Ａが形成されている。
【０１２６】
連結具１００Ｄの第二延長部１１３４は、第二壁部１１１Ｂの一方の側縁から第一壁部１１１Ａに向かって上方に延びる第一部分１１３４Ａと、第一部分１１３４Ａの上端から第一部分１１３４Ａと直角に延びる第二部分１１３４Ｂと、からなる。
【０１２７】
第二延長部１１３４の第一部分１１３４Ａ及び第二部分１１３４Ｂは第一延長部１１２４とは抵触しない位置関係にある。第二部分１１３４Ｂは第一延長部１１２４の前方に位置しており、かつ、第一延長部１１２４の孔１１２４Ａと部分的に重なり合っている。
【０１２８】
連結具１００Ｄは以下のようにして使用される。
【０１２９】
雄連結具１２０Ｄを雌連結具１１０Ｄの第一延長部１１２４の孔１１２４Ａに押し込むと、雄連結具１２０Ｄに接触している第二延長部１１３４の第二部分１１３４Ｂが第二壁部１１１Ｂの弾性力に抗して上方に押し上げられる。
【０１３０】
雄連結具１２０Ｄをさらに押し込み、雄連結具１２０Ｄの溝１２１Ｄと第二延長部１１３４の第二部分１１３４Ｂとが並ぶ位置まで雄連結具１２０Ｄが到達すると、第二延長部１１３４の第二部分１１３４Ｂは第二壁部１１１Ｂの弾性力により下降し、溝１２１Ｄに嵌まり込む。すなわち、図１２に示す状態になる。これにより、雌連結具１１０Ｄと雄連結具１２０Ｄとが連結された状態になる。
【０１３１】
雄連結具１２０Ｄを雌連結具１１０Ｄから抜き取る場合には、第二壁部１１１Ｂを第一壁部１１１Ａに向かって押す。これにより、第二延長部１１３４の第二部分１１３４Ｂは第二壁部１１１Ｂとともに第一壁部１１１Ａに向かって上方に移動し、同時に、第二部分１１３４Ｂと雄連結具１２０Ｄの溝１２１Ｄとの係合が解除される。この状態において、雄連結具１２０Ｄを雌連結具１１０Ｄから抜き取ることが可能になる。
【０１３２】
（第五の変形例）
図１３及び図１４は、第一の実施形態に係る連結具１００の第五の変形例に係る連結具１００Ｅの斜視図である。
【０１３３】
連結具１００Ｅは、第三の変形例に係る連結具１００Ｃと比較して、雌連結具１１０Ｅの第一延長部及び第二延長部の形状が異なっている。
【０１３４】
連結具１００Ｅにおいては、第一壁部１１１Ａは第二壁部１１１Ｂよりも短く形成されており、第一延長部１１２５は、第一壁部１１１Ａの一端から他端に向かって湾曲して延びる第一部分１１２５Ａと、第一部分１１２５Ａの先端から（「直角に」→削除）下方に延び、かつ、第一壁部１１１Ａの先端よりも前方に延びる第二部分１１２５Ｂと、第二部分１１２５Ｂの下縁から第二部分１１２５Ｂと直交して延びる第一係止部１１２５Ｃと、から構成されている。
【０１３５】
第一延長部１１２５の第二部分１１２５Ｂは第二壁部１１１Ｂの側縁よりも外側に位置しており、さらに、第一延長部１１２５の第一係止部１１２５Ｃは第二壁部１１１Ｂの先端よりも前方に位置している。このため、第一壁部１１１Ａが第二壁部１１１Ｂに向って押された場合であっても、第一延長部１１２５の第二部分１１２５Ｂ及び第一係止部１１２５Ｃは第二壁部１１１Ｂとは干渉しない。
【０１３６】
第二延長部１１３５は、第二壁部１１１Ｂの他端から（すなわち、第一延長部１１２５の第二部分１１２５Ｂと対向するように第二壁部１１１Ｂから）上方に延びる第一部分１１３５Ａと、第一部分１１３５Ａの先端から直角に内側に曲がって形成されている第二部分１１３５Ｂと、第一部分１１３５Ａの上縁から内側に向かって湾曲して形成されている第一係止部１１３５Ｃと、から構成されている。
【０１３７】
第二延長部１１３５の第二部分１１３５Ｂは第一延長部１１２５の第一係止部１１２５Ｃよりも前方に位置しており、第一延長部１１２５の第一係止部１１２５Ｃとは干渉しない。第二延長部１１３５の第二部分１１３５Ｂには雄連結具１２０Ｅが通過可能な孔１１３５Ｄが形成されている。
【０１３８】
連結具１００Ｅは以下のようにして使用される。
【０１３９】
雄連結具１２０Ｅを雌連結具１１０Ｅの第二延長部１１３５の第三部分１１３５Ｃに形成されている孔１１３５Ｄに押し込むと、雄連結具１２０Ｅが第一延長部１１２５の第一係止部１１２５Ｃの上面に接触する。
【０１４０】
雄連結具１２０Ｅをさらに押し込むと、雄連結具１２０Ｅに接触している第一延長部１１２５の第一係止部１１２５Ｃは第二壁部１１１Ｂの弾性力に抗して下方に押し下げられる。
【０１４１】
雄連結具１２０Ｅをさらに押し込み、雄連結具１２０Ｅの溝１２１Ｅと第一延長部１１２５の第一係止部１１２５Ｃとが並ぶ位置まで雄連結具１２０Ｅが到達すると、第一延長部１１２５の第一係止部１１２５Ｃは第二壁部１１１Ｂの弾性力により上昇し、溝１２１Ｅに下方から嵌まり込む。すなわち、図１４に示す状態になる。これにより、雌連結具１１０Ｅと雄連結具１２０Ｅとが連結された状態になる。
【０１４２】
雄連結具１２０Ｅを雌連結具１１０Ｅから抜き取る場合には、第一壁部１１１Ａを第二壁部１１１Ｂに向かって押す。これにより、第一延長部１１２５の第一係止部１１２５Ｃは第一壁部１１１Ａとともに第二壁部１１１Ｂに向かって下方に移動し、同時に、第一延長部１１２５の第一係止部１１２５Ｃと雄連結具１２０Ｅの溝１２１Ｅとの係合が解除される。この状態において、雄連結具１２０Ｅを雌連結具１１０Ｅから抜き取ることが可能になる。
【０１４３】
（第六の変形例）
図１５は、第一の実施形態に係る連結具１００の第六の変形例に係る装連結具１００Ｆの斜視図であり、図１６は、連結具１００Ｆの雌連結具１１０Ｆの一部を除去した分解斜視図である。
【０１４４】
図１５及び図１６に示すように、連結具１００Ｆの雌連結具１１０Ｆは、中央に雄連結具１２０Ｆが通過可能な孔１１０Ｆｂが形成されている平板状のベース部１１０Ｆａと、孔１１０Ｆｂの周縁から前方に延びる円筒状の部分１１０Ｆｃと、ベース部１１０Ｆａの上端から後方に延びる第一部分１１０Ｆｄと、第一部分１１０Ｆｄの先端から上方にＵ字状に湾曲し、円筒状部分１１０Ｆｃを通りすぎて前方に延びる第二部分１１０Ｆｅと、第二部分１１０Ｆｅの先端から直角に下方に延び、その先端には半円状の切り欠き１１０Ｆｇが形成されている第三部分１１０Ｆｆと、ベース部１１０Ｆａの下端から後方に延びる第四部分１１０Ｆｈと、第四部分１１０Ｆｈの先端から下方にＵ字状に湾曲し、円筒状部分１１０Ｆｃを通りすぎて前方に延びる第五部分１１０Ｆｉと、第五部分１１０Ｆｉの先端から直角に上方に延び、その先端には半円状の切り欠き１１０Ｆｋが形成されている第六部分１１０Ｆｊと、ベース部１１０Ｆａの一方の側縁（例えば、左側側縁）から第四部分１１０Ｆｈの外周に沿ってベース部１１０Ｆａの他方の側縁（例えば、右側側縁）を越えて延びる第七部分Ｆｍと、から構成されている。
【０１４５】
第三部分１１０Ｆｆの先端と第六部分１１０Ｆｊの先端とは円筒状部分１１０Ｆｃの前方において相互に重なり合っており、第三部分１１０Ｆｆに形成されている切り欠き１１０Ｆｇと第六部分１１０Ｆｊに形成されている切り欠き１１０Ｆｋとは、雄連結具１２０Ｆの大径部１２０ＦＡよりも小さく、かつ、小径部としての溝１２１Ｆの外径よりも大きい外径を有する孔を形成している。
【０１４６】
第七部分Ｆｍには、その後方端において連結環１１６が形成されている。
【０１４７】
また、第七部分Ｆｍには、ベース部１１０Ｆａの他方の側縁と並ぶ位置において、上縁及び下縁に切り欠き１１０Ｆｎが形成されており、これらの切り欠き１１０Ｆｎにはベース部１１０Ｆａの他方の側縁から延びる延長部分１１０Ｆｏが嵌め込まれている。
【０１４８】
以上のように、本変形例に係る連結具１００Ｆにおいては、第一の実施形態に係る連結具１００における第一壁部１１１Ａ及び第二壁部１１１Ｂに対応する壁部は一枚の板を折り曲げることにより二重構造をなしている。このように、二重構造とすることにより、強度及び弾性力を向上させることが可能である。
【０１４９】
連結具１００Ｆは以下のようにして使用される。
【０１５０】
第三部分１１０Ｆｆに形成されている切り欠き１１０Ｆｇと第六部分１１０Ｆｊに形成されている切り欠き１１０Ｆｋとが形成している孔に雄連結具１２０Ｆを押し込むと、この孔の外径は雄連結具１２０Ｆの大径部１２０ＦＡよりも小さいため、雄連結具１２０Ｆの大径部１２０ＦＡにより上下に押し広げられる。
【０１５１】
雄連結具１２０Ｆをさらに押し込み、雄連結具１２０Ｆの溝１２１Ｆと第三部分１１０Ｆｆの先端及び第六部分１１０Ｆｊの先端とが並ぶ位置まで雄連結具１２０Ｆが到達すると、第三部分１１０Ｆｆは第一部分１１０Ｆｄ及び第二部分１１０Ｆｅの弾性力により下降し、雄連結具１２０Ｆの溝１２１Ｆに上方から嵌まり込むとともに、第六部分１１０Ｆｊは第四部分１１０Ｆｈ及び第五部分１１０Ｆｉの弾性力により上昇し、雄連結具１２０Ｆの溝１２１Ｆに下方から嵌まり込む。これにより、雌連結具１１０Ｆと雄連結具１２０Ｆとが連結された状態になる（後述する図１９参照）。
【０１５２】
雄連結具１２０Ｆを雌連結具１１０Ｆから抜き取る場合には、第二部分１１０Ｆｅ及び第五部分１１０Ｆｉを相互に向う方向に押す。これにより、第三部分１１０Ｆｆは上方に移動し、第六部分１１０Ｆｊは下方に移動し、第三部分１１０Ｆｆ及び第六部分１１０Ｆｊと雄連結具１２０Ｆの溝１２１Ｆとの係合が解除される（後述する図２０参照）。この状態において、雄連結具１２０Ｆを雌連結具１１０Ｆから抜き取ることが可能になる。
【０１５３】
（第二の実施形態）
上述の第一の実施形態に係る連結具１００及びその変形例に係る連結具１００Ａ−１００Ｆはそのまま使用することも可能であるが、以下に述べるように、カバー部材を用いることが可能である。
【０１５４】
図１７は本発明の第二の実施形態に係る連結具２００の分解斜視図である。
【０１５５】
連結具２００は、上述の連結具１００Ｆと、中空のカバー部材１３０と、から構成されている。
【０１５６】
カバー部材１３０は、ラバーやシリコンなどの変形可能な弾性材料からつくられており、全体として卵型の形状をなしている。一端には孔１３１が形成され、他端には連結環１１６が突出可能なスリット１３２が形成されている。
【０１５７】
カバー部材１３０は弾性変形が可能であるため、孔１３１を引き延ばすことにより、連結具１００Ｆをカバー部材１３０の内部に収納させることが可能である。
【０１５８】
雌連結具１１０Ｆの連結環１１６はスリット１３２から外側に突出する。
【０１５９】
図１８は、連結具１００Ｆをカバー部材１３０の内部に収納させた状態における平面図（上方から見た図）、図１９は、連結具１００Ｆをカバー部材１３０の内部に収納させた状態における側面図（水平方向から見た図）、図２０は、連結具１００Ｆをカバー部材１３０の内部に収納させた状態において、雌連結具１１０Ｆの第二部分１１０Ｆｅ及び第五部分１１０Ｆｉを相互に向う方向に押した場合の側面図である。
【０１６０】
このように、カバー部材１３０を用いることにより、連結具２００の外観を向上させることができ、さらには、雌連結具１１０Ｆを衝撃から防護することも可能になる。
【０１６１】
本実施形態においては、連結具１００Ｆを用いたが、他の連結具１００、１００Ａ−１００Ｅに対してカバー部材１３０を用いることも可能である。
【０１６２】
（第三の実施形態）
図３９は本発明の第三の実施形態に係る連結具３００の分解斜視図であり、図４０は連結具３００において雄連結具が雌連結具の内部に係合した状態における断面図である。
【０１６３】
本実施形態に係る連結具３００は、雌連結具３１０と雄連結具３２０とを有する連結具３１００と、雌連結具３１０を内部に収容可能な収納部材３３０と、収納部材３３０に取り付けられた連結環３３１と、押圧用ブロック３４０と、から構成されている。
【０１６４】
連結具３１００は、以下に述べる点を除いて、第一の実施形態に係る連結具１００とほぼ同様の構造を有している。
【０１６５】
連結具３００における雌連結具３１０は、第一の実施形態における雌連結具１１０と比較して、構造的に次の二つの点が相違している。
【０１６６】
第一には、雌連結具３１０は、連結環１１６を備えておらず、代わりに、連結壁１１１Ｃの上縁及び下縁から相互に平行に前方に向かって延びている一対の支持部材３１１を備えている。一対の支持部材３１１は、雄連結具３２０が雌連結具３１０の内部に挿入されたときに、雄連結具３２０の先端部分を上下から支持する。
【０１６７】
各支持部材３１１には貫通孔３１１Ａが形成されている。収納部材３３０の内壁には貫通孔３１１Ａに嵌まる凸状部（図示せず）が形成されており、この凸状部に貫通孔３１１Ａを嵌め込むことにより、各支持部材３１１ひいては雌連結具３１０は収納部材３３０の内部に位置決めされた状態で取り付けられる。
【０１６８】
第二には、図３９に示すように、第一壁部１１１Ａ及び第二壁部１１１Ｂには同じ位置に長方形状の開口部３１２が形成されている。
【０１６９】
第一の実施形態に係る連結具１００における雄連結具１２０は１個の連結環１２２を備えているのに対して、雄連結具３２０は、収納部材３３０が３個の連結間３３１を有していることに対応して、３個の連結環３２２を備えている。
【０１７０】
収納部材３３０は直方体形状をなしており、雌連結具３１０を収納可能な空間を内部に有している。
【０１７１】
収納部材３３０の６面のうちの一つの面は開口面３３０Ａを形成している。
【０１７２】
収納部材３３０の開口面３３０Ａとは反対側の面には３個の連結環３３１が取り付けられている。
【０１７３】
雄連結具３２０を雌連結具３１０に挿入する際の挿入方向Ａと平行な収納部材３３０の一対の側壁には長方形状の開口部３３２が形成されている。
【０１７４】
収納部材３３０の開口面３３０Ａには差込口プレート３５０が取り外し自在に取り付けられている。差込口プレート３５０には雄連結具３２０が通過可能な長方形状の開口部３５１が形成されている。
【０１７５】
雌連結具３１０は開口面３３０Ａを介して収納部材３３０の内部に収納される。雌連結具３１０が収納部材３３０の内部に収納された後、差込口プレート３５０が収納部材３３０の開口面３３０Ａに取り付けられる。
【０１７６】
押圧用ブロック３４０は、収納部材３３０の開口部３３２に嵌合可能であり、かつ、開口部３３２に嵌合したときに開口部３３２から収納部材３３０の外側に突出する（図４０参照）第一ブロック部分３４０Ａと、雌連結具３１０の第一壁部１１１Ａまたは第二壁部１１１Ｂの開口部３１２に嵌合可能である（図４０参照）第二ブロック部分３４０Ｂと、第一ブロック部分３４０Ａと第二ブロック部分３４０Ｂとの間に挟まれ、収納部材３３０の開口部３３２及び雌連結具３１０の開口部３１２の双方に嵌合不可能な第三ブロック部分３４０Ｃ（図４０参照）と、から構成されている。
【０１７７】
図４０に示すように、雌連結具３１０及び押圧用ブロック３４０が収納部材３３０の内部に配置された状態においては、第三ブロック部分３４０Ｃが収納部材３３０と雌連結具３１０との間に挟まれており、第一ブロック部分３４０Ａは収納部材３３０の開口部３３２に嵌合し、さらに、開口部３２から外側に突出し、第二ブロック部分３４０Ｂは雌連結具３１０の開口部３１２に嵌合している。
【０１７８】
収納部材３３０の開口部３３２から突出している第一ブロック部分３４０Ａを内側に向かって押すことにより、雌連結具３１０の第一壁部１１１Ａ及び第二壁部１１１Ｂを収納部材３３０の外側から押すことが可能になっている。
【０１７９】
以上のような構造を有する本実施形態に係る連結具３００は以下のように組み立てられる。
【０１８０】
まず、収納部材３３０の内部に一対の押圧用ブロック３４０を入れ、第一ブロック部分３４０Ａを収納部材３３０の開口部３３２に嵌め込む。
【０１８１】
次いで、雌連結具３１０の第一壁部１１１Ａ及び第二壁部１１１Ｂを相互に近づく方向に指で押した状態のまま、収納部材３３０の内部に入れ、押圧用ブロック３４０の第二ブロック部分３４０Ｂを第一壁部１１１Ａ及び第二壁部１１１Ｂの開口部３１２に嵌め入れる。さらに、一対の支持部材３１１の貫通孔３１１Ａを収納部材３３０の内壁に形成されている凸状部に嵌め入れる。
【０１８２】
これにより、雌連結具３１０は収納部材３３０の内部に位置決めされた状態で配置される。
【０１８３】
次いで、差込口プレート３５０を収納部材３３０の開口面３３０Ａに取り付ける。
【０１８４】
このように組み立てられた本実施形態に係る連結具３００は以下のように使用される。
【０１８５】
差込口プレート３５０の開口部３５１を介して雄連結具３２０を収納部材３３０の内部に配置されている雌連結具３１０の内部に挿入すると、第一の実施形態に係る連結具１００と同様にして、雄連結具３２０が雌連結具３１０に係合する。
【０１８６】
これにより、雄連結具３２０は雌連結具３１０ひいては収納部材３３０の内部に固定される。この状態においては、図４０に示すように、雌連結具３１０の先端部分は上下方向において一対の支持部材３１１に挟まれている。
【０１８７】
雌連結具３１０を雄連結具３２０から取り外す場合には、一対の押圧用ブロック３４０の各第一ブロック部分３４０Ａを収納部材３３０の外側から内側に向かって押し込む。
【０１８８】
これにより、雄連結具３２０の第一壁部１１１Ａ及び第二壁部１１１Ｂは連結壁部１１１Ｃを中心として相互に近づく方向に撓む。
【０１８９】
これにより、第一の実施形態に係る連結具１００と同様に、雌連結具３１０と雄連結具３２０との間の係合が解除され、雄連結具３２０を雌連結具３１０から引き抜くことが可能になる。
【０１９０】
雌連結具３１０を引き抜いた後、押圧用ブロック３４０の各第一ブロック部分３４０Ａを押すことを停止すれば（すなわち、各第一ブロック部分３４０Ａから指を離せば）、雌連結具３１０の第一壁部１１１Ａ及び第二壁部１１１Ｂはその弾性力により元の位置（図４０に示す位置）に復帰する。
【０１９１】
以上のように、本実施形態に係る連結具３００によっても、第一の実施形態に係る連結具１００と同様の効果を奏することができるとともに、収納部材３３０を用いることにより、外観を向上させるとともに、雌連結具３１０を衝撃から防護することが可能である。
【０１９２】
本実施形態に係る連結具３００は上記の構造に限定されるものではなく、種々の改変が可能である。
【０１９３】
本実施形態に係る連結具３００においては、収納部材３３０は直方体形状をなしているが、雄連結具３２０を内部に収納し得る形状である限り、任意の形状とすることが可能である。
【０１９４】
また、本実施形態に係る連結具３００においては、雌連結具３１０には第一延長部１１２及び第二延長部１１３の第二部分１１２Ｂ及び第二部分１１３Ｂが形成され、雄連結具３２０にそれらに対応して二つの溝３２１Ａ、３２１Ｂが形成されているが、第二部分１１２Ｂ及び溝３２１Ｂのみを、あるいは、第二部分１１３Ｂ及び溝３２１Ａのみを形成することも可能である。第二部分１１２Ｂまたは第二部分１１３Ｂの何れか一方のみを設けて、雄連結具３２０には溝３２１Ａ及び３２１Ｂの双方を設けることも可能である。
【０１９５】
また、本実施形態における雄連結具３２０は一対の支持部材３１１を有するものとして形成されているが、必要に応じて、支持部材３１１を省略することも可能である。
【０１９６】
さらに、本実施形態に係る連結具３００は一対の押圧用ブロック３４０を有するものとして構成されているが、雄連結具３２０の第一壁部１１１Ａ及び第二壁部１１１Ｂを収納部材３３０の外側から押すことができる構造である限りにおいて、一対の押圧用ブロック３４０を使用しないことも可能である。
【０１９７】
また、本実施形態に係る連結具３００においては、第一の実施形態に係る連結具１００を使用したが、以下に述べるように、連結具１００の各変形例を用いることも可能である。
【０１９８】
（第一の変形例）
図４１は本発明の第三の実施形態の第一の変形例に係る連結具３００Ａの分解斜視図であり、図４２は連結具３００Ａにおいて雄連結具が雌連結具の内部に係合した状態における断面図である。
【０１９９】
本実施形態に係る連結具３００Ａは、雌連結具３１０Ａと雄連結具３２０Ａとを有する連結具３１００Ａと、第一カバー部材３６１と、第二カバー部材３６２と、から構成されている。
【０２００】
本実施形態に係る連結具３００Ａにおける雌連結具３１０Ａは、第一の実施形態の第二の変形例に係る連結具１００Ｂにおける雌連結具１１０Ｂと比較して、次の二つの点において構造的に異なっている。
【０２０１】
第一には、雌連結具３１０Ａは、連結環１１６を有する代わりに、連結壁１１１Ｃの一部を内側に折り曲げて形成された位置決め部３１１を有している。位置決め部３１１は上方に向かう突起３１２を備えている。
【０２０２】
第二には、雌連結具３１０Ａは、その第一壁部１１１Ａ及び第二壁部１１１Ｂから外側に突出するウイング３１３を有している。
【０２０３】
ウイング３１３は、第一壁部１１１Ａ及び第二壁部１１１Ｂから外側に延びる第一ウイング部分３１３Ａと、第一ウイング部分３１３Ａより大きな幅を有する第二ウイング部分３１３Ｂと、第二ウイング部分３１３Ｂより小さな幅を有し、外周が曲線状をなしている第三ウイング部分３１３Ｃと、からなる。
【０２０４】
本実施形態に係る連結具３００Ａにおける雄連結具３２０Ａは、第一の実施形態の第二の変形例に係る連結具１００Ｂにおける雄連結具１２０Ｂと比較して、次の二つの点において構造的に異なっている。
【０２０５】
第一に、雄連結具１２０Ｂは１個の連結環１２２を有しているのに対して、３個の連結環１２２を有している。
【０２０６】
第二に、雄連結具１２０Ｂには、その先端から中心線に沿って後方に延びるスリット３２１が形成されている。
【０２０７】
第一カバー部材３６１は下方に開口している円筒形状をなしている。第一カバー部材３６１の側壁には、雄連結具３２０Ａが通過可能な第一スリット３６１Ａと、ウイング３１３の第三ウイング部分３１３Ｃは通過可能であるが、第二ウイング部分３１３Ｂは通過不可能な第二スリット３６１Ｂ及び第三スリット３６１Ｃと、が形成されている。
【０２０８】
さらに、第一カバー部材３６１の側壁には、第一スリット３６１Ａの反対側の位置に３個の連結環１１６が形成されている。
【０２０９】
第一カバー部材３６１の天井面の内壁には、雄連結具３２０Ａのスリット３２１に嵌合可能な円筒状の突起３６４と、雌連結具３１０Ａの突起３１２が嵌合可能なリング３６３とが形成されている。
【０２１０】
第二カバー部材３６２は上方に開口している円筒形状をなしている。第二カバー部材３６２の側壁にも、第一カバー部材３６１の第一スリット３６１Ａ、第二スリット３６１Ｂ及び第三スリット３６１Ｃにそれぞれ対応する第一スリット３６２Ａ、第二スリット３６２Ｂ及び第三スリット３６２Ｃが形成されている。
【０２１１】
第一カバー部材３６１と第二カバー部材３６２とは相互に嵌合可能であり、相互に嵌合することによって、第一カバー部材３６１及び第二カバー部材３６２は雌連結具３１０Ａを内部に収納する収納部材を構成する。
【０２１２】
以上のような構造を有する本実施形態に係る連結具３００Ａは以下のように組み立てられる。
【０２１３】
まず、雌連結具３１０Ａを第二カバー部材３６２の内部に挿入する。この状態においては、第二ウイング部分３１３Ｂは第二スリット３６１Ｂ及び３６２Ｂ並びに第三スリット３６１Ｃ及び３６２Ｃに内側から引っ掛かるため、雌連結具３２０Ａは第二カバー部材３６２の内部に固定される。
【０２１４】
次いで、第二カバー部材３６２の上側から第一カバー部材３６１を嵌め込む。この際、雌連結具３２０Ａの突起３１２が第一カバー部材３６１のリング３６３に嵌め込まれるようにする。この状態においては、図４２に示すように、第三ウイング部分３１３Ｃは第一カバー部材３６１の第二スリット３６１Ｂ及び第三スリット３６１Ｃからその一部が露出する。
【０２１５】
このように組み立てられた本実施形態に係る連結具３００Ａは以下のように使用される。
【０２１６】
第一カバー部材３６１の第一スリット３６１Ａ及び第二カバー部材３６２の第一スリット３６２Ａを介して雄連結具３２０Ａを第一カバー部材３６１及び第二カバー部材３６２の内部に配置されている雌連結具３１０Ａの内部に挿入すると、連結具１００Ｂと同様にして、雄連結具３２０Ａが雌連結具３１０Ａに係合する。
【０２１７】
これにより、雄連結具３２０Ａは雌連結具３１０Ａひいては第一カバー部材３６１及び第二カバー部材３６２の内部に固定される。
【０２１８】
雄連結具３２０Ａを雌連結具３１０Ａから取り外す場合には、第二スリット３６１Ｂ及び３６２Ｂ並びに第三スリット３６１Ｃ及び３６２Ｃから露出している二つのウイング３１３を内側に向かって押し込む。
【０２１９】
これにより、雄連結具３２０Ａの第一壁部１１１Ａ及び第二壁部１１１Ｂは連結壁部１１１Ｃを中心として相互に近づく方向に撓む。
【０２２０】
これにより、第二の変形例に係る連結具１００Ｂと同様に、雌連結具３１０Ａと雄連結具３２０Ａとの間の係合が解除され、雄連結具３２０Ａを雌連結具３１０Ａから引き抜くことが可能になる。
【０２２１】
雌連結具３１０Ａを引き抜いた後、各ウイング３１３を押すことを停止すれば（すなわち、各ウイング３１３から指を離せば）、雌連結具３１０Ａの第一壁部１１１Ａ及び第二壁部１１１Ｂはその弾性力により元の位置（図４２に示す位置）に復帰する。
【０２２２】
以上のように、本実施形態に係る連結具３００Ａによっても、第一の実施形態に係る連結具１００と同様の効果を奏することができるとともに、収納部材としての第一カバー部材３６１及び第二カバー部材３６２を用いることにより、外観を向上させるとともに、雌連結具３１０Ａを衝撃から防護することが可能である。
【０２２３】
（第二の変形例）
図３７は本発明の第三の実施形態の第二の変形例に係る連結具３００Ｂの分解斜視図であり、図３８は連結具３００Ｂにおいて雄連結具が雌連結具の内部に係合した状態における断面図である。
【０２２４】
本実施形態に係る連結具３００Ｂは、雌連結具３１０Ｂと雄連結具３２０Ｂとを有する連結具３１００Ｂと、第一カバー部材３７１と、第二カバー部材３７２と、一対の押しボタン３７３と、から構成されている。
【０２２５】
本実施形態に係る連結具３００Ｂにおける雄連結具３２０Ｂは、第一の実施形態の第三の変形例に係る連結具１００Ｃにおける雄連結具１２０Ｃと同一の構造を有している。
【０２２６】
本実施形態に係る連結具３００Ｂにおける雌連結具３１０Ｂは、第一の実施形態の第三の変形例に係る連結具１００Ｃにおける雌連結具１１０Ｃと比較して、次の二つの点において構造的に異なっている。
【０２２７】
第一に、雌連結具３１０Ｂは、雌連結具１１０Ｃとは異なり、連結環１１６を備えていない。
【０２２８】
第二に、雌連結具３１０Ｂは一対の係合部材３７４を備えている。
【０２２９】
各係合部材３７４は、雌連結具３１０Ｂの連結壁１１１Ｃの左右側壁から前方に向かって延びる側壁部３７４Ａと、側壁部３７４Ａの先端から外側に向って延びる突出部３７４Ｂと、から構成されている。
【０２３０】
後述するように、各突出部３７４Ｂが第一カバー部材３７１及び第二カバー部材３７２の開口部に嵌合することにより、雌連結具３１０Ｂが第一カバー部材３７１及び第二カバー部材３７２の内部に位置決めされた状態で収納される。
【０２３１】
第一壁部１１１Ａ及び第二壁部１１１Ｂの外側表面には、雌連結具３１０Ｂが第二カバー部材３７２に嵌め込まれたときに第二カバー部材３７２から抜け出ることを防止するために、第二カバー部材３７２の内壁に食い込む機能を有する突起３７５が形成されている。
【０２３２】
第一カバー部材３７１はほぼ直方体の形状をなしている。一つの面は開口面（図３７には図示せず）をなしており、開口面と反対側の面には雄連結具３２０Ｂが通過可能な孔３７１Ａが形成されている。
【０２３３】
第二カバー部材３７２は第一カバー部材３７１の開口面を介して第一カバー部材３７１の内部に嵌合可能な枠３７２Ａを有しており、枠３７２Ａを第一カバー部材３７１に嵌め込むことにより、第一カバー部材３７１と第二カバー部材３７２とは取り外し可能に連結される。
【０２３４】
第一カバー部材３７１及び第二カバー部材３７２は連結されたときに、雌連結具３１０Ｂを収容可能な空間を内部に形成する。
【０２３５】
第二カバー部材３７２には、枠３７２Ａと反対側において、連結環３７２Ｂが形成されている。
【０２３６】
第二カバー部材３７２の枠３７２Ａには、相互に対向する一対の側壁の各々において、同一形状の開口部３７２Ｃが形成されている。
【０２３７】
また、第一カバー部材３７１には、第二カバー部材３７２を第一カバー部材３７１に嵌め込んだときに開口部３７２Ｃと並ぶ位置に一対の開口部３７１Ｂが形成されている。開口部３７１Ｂは開口部３７２Ｃと同一の形状である。
【０２３８】
さらに、第一カバー部材３７１には、開口部３７１Ｂが形成されている面と直交する面の各々に枠３７２Ａから外れる領域において円形の孔３７１Ｃが形成されている。
【０２３９】
一対の押しボタン３７３の各々は、第一カバー部材３７１の孔３７１Ｃに嵌合可能な円柱状の第一部分３７３Ａと、孔３７１Ｃよりも大きな直径を有する円柱状の第二部分３７３Ｂと、から構成されている。
【０２４０】
以上のような構造を有する本変形例に係る連結具３００Ｂは以下のようにして組み立てられる。
【０２４１】
まず、雌連結具３１０Ｂを第二カバー部材３７２の内部に差し込み、係合部材３７４の突出部３７４Ｂを開口部３７２Ｃに嵌め込む。これにより、雌連結具３１０Ｂは第二カバー部材３７２の内部において位置決めされた状態で固定される。
【０２４２】
次いで、例えば、第一カバー部材３７１を直立させ、押しボタン３７３の第一部分３７３Ａを第一カバー部材３７１の孔３７１Ｃに嵌め込む。
【０２４３】
次いで、第一カバー部材３７１を直立させたままの状態において、第二カバー部材３７２の枠３７２Ａを第一カバー部材３７１の開口面を介して第一カバー部材３７１に嵌め入れるとともに、係合部材３７４の突出部３７４Ｂを第一カバー部材３７１の開口部３７１Ｂに嵌め込む。
【０２４４】
前述のように、第一壁部１１１Ａ及び第二壁部１１１Ｂは連結壁１１１Ｃを中心としてバネとして機能し、相互に離れる方向に撓んでいる。このため、雌連結具３１０Ｂが第一カバー部材３７１及び第二カバー部材３７２の内部に挿入された状態においては、図３８に示すように、押しボタン３７３を外側に向けて押圧している状態にある。
【０２４５】
このようにして、本変形例に係る連結具３００Ｂが組み立てられる。
【０２４６】
このようにして組み立てられた本変形例に係る連結具３００Ｂは以下のように動作する。
【０２４７】
第一カバー部材３７１の孔３７１Ａを介して雄連結具３２０Ｂを第一カバー部材３７１の内部に挿入すると、雄連結具３２０Ｂは第一カバー部材３７１の内部に配置されている雌連結具３１０Ｂの第一係合部１１２の第二部分１１２Ｂ及び第二係合部１１３の第二部分１１３Ｂに接触する。
【０２４８】
雄連結具３２０Ｂをそのまま第一カバー部材３７１の内部に挿入方向Ａに押し進めると、雄連結具３２０Ｂは第一延長部１１２の第二部分１１２Ｂを下方に押し下げ、第二延長部１１３の第二部分１１３Ｂを上方に押し上げながら、挿入方向Ａに進行する。
【０２４９】
雄連結具３２０Ｂのリング状溝３２１が雌連結具３１０Ｂの第一延長部１１２の第二部分１１２Ｂ及び第二延長部１１３の第一係止部１１３Ｂと重なり合う位置まで到達すると、雌連結具３１０Ｂの弾性力の作用により、それまで雄連結具３２０Ｂによって下方に押し下げられていた第一延長部１１２の第二部分１１２Ｂは上方に付勢され、また、それまで雄連結具３２０Ｂによって上方に押し上げられていた第二延長部１１３の第二部分１１３Ｂは下方に付勢され、雄連結具３２０Ｂのリング状溝３２１にそれぞれ下方及び上方から嵌め込まれる。
【０２５０】
これにより、雄連結具３２０Ｂは雌連結具３１０Ｂの内部に固定される。
【０２５１】
雄連結具３２０Ｂを雌連結具３１０Ｂから取り外す場合には、一対の押しボタン３７３を第一カバー部材３７１の外側から内側に向かって押し込む。
【０２５２】
これにより、雌連結具３１０Ｂの第一壁部１１１Ａ及び第二壁部１１１Ｂは連結壁１１１Ｃを中心として相互に近づく方向に撓む。
【０２５３】
この結果、第一延長部１１２の第二部分１１２Ｂは下方に移動し、第二延長部１１３の第二部分１１３Ｂは上方に移動し、それぞれ雄連結具３２０Ｂのリング状溝３２１から外れる。
【０２５４】
以上のように、一対の押しボタン３７３を押すと、雄連結具３２０Ｂと雌連結具３１０Ｂとの間の係合が解除されるため、雄連結具３２０Ｂを雌連結具３１０Ｂから引き抜くことが可能になる。
【０２５５】
雄連結具３２０Ｂを引き抜いた後、押しボタン３７３を押すことを停止すれば（すなわち、押しボタン３７３から指を離せば）、雌連結具３１０Ｂの第一壁部１１１Ａ及び第二壁部１１１Ｂは雌連結具３１０Ｂの弾性力により元の位置（図３８に示す位置）に復帰する。
【０２５６】
以上のように、本変形例に係る連結具３００Ｂによっても、第一の実施形態に係る連結具１００と同様の効果を奏することができるとともに、収納部材としての第一カバー部材３７１及び第二カバー部材３７２を用いることにより、外観を向上させるとともに、雌連結具３１０Ｂを衝撃から防護することが可能である。
【０２５７】
本変形例に係る連結具３００Ｂは上記の構造に限定されるものではなく、種々の改変が可能である。
【０２５８】
本変形例に係る連結具３００Ｂにおいては、第一カバー部材３７１及び第二カバー部材３７２はいずれもほぼ直方体の形状をなしているが、他の形状にすることも可能である。例えば、第一カバー部材３７１及び第二カバー部材３７２を円柱形状にすることも可能である。
【０２５９】
また、第一カバー部材３７１及び第二カバー部材３７２の形状に応じて、雌連結具３１０Ｂの全体形状を変えることも可能である。例えば、第一カバー部材３７１及び第二カバー部材３７２を円柱形状にした場合には、雌連結具３１０Ｂを円柱に含まれる形状に変更することも可能である。
【０２６０】
本変形例に係る連結具３００Ｂは一対の押しボタン３７３を有するものとして構成されているが、必要に応じて、押しボタン３７３を省略することも可能である。すなわち、第一カバー部材３７１の孔３７１Ｃを介して雌連結具３１０Ｂの第一壁部１１１Ａ及び第二壁部１１１Ｂを直接的に押すことが可能であれば、雌連結具３１０Ｂと雄連結具３２０Ｂとの間の係合を解除することができるので、押しボタン３７３を省略することが可能である。
【０２６１】
本変形例における雌連結具３１０Ｂは第二部分１１２Ｂ及び第二部分１１３Ｂを有するものとして構成されているが、雌連結具３１０Ｂは第二部分１１２Ｂ及び第一係止部１１３Ｂの何れか一方のみを有するものとして構成することも可能であり、その場合には、第一カバー部材３７１に形成される孔３７１Ｃも一つでよい。
【０２６２】
（第三の変形例）
図３９は本発明の第三の実施形態の第三の変形例に係る連結具３００Ｃの分解斜視図である。
【０２６３】
本実施形態に係る連結具３００Ｃは、雌連結具３１０Ｃと雄連結具３２０Ｃとを有する連結具３１００Ｃと、第一カバー部材３８１と、第二カバー部材３８２と、から構成されている。
【０２６４】
雄連結具３２０Ｃは図９に示した連結具１００ＣＡにおける雄連結具１２０Ｃと同一の構造を有している。
【０２６５】
雌連結具３１０Ｃは図９に示した連結具１００ＣＡにおける雌連結具１１０Ｃと比較して構造的に次の２点において異なっている。
【０２６６】
第一に、雌連結具１１０Ｃは連結環１１６を有しているのに対して、雌連結具３１０Ｃは連結環１１６を有していない。
【０２６７】
第二に、雌連結具１１０Ｃは一対の係合部材３８４を備えている。
【０２６８】
各係合部材３８４は、雌連結具３１０Ｃの連結壁１１１Ｃの左右側壁から前方に向かって延びる側壁部３８４Ａと、側壁部３８４Ａの先端から外側に向かって延びる突出部３８４Ｂと、から構成されている。
【０２６９】
第一カバー部材３８１は下方が開口しているドーム形状をなしており、第二カバー部材３８２は上方が開口しているドーム形状をなしている。
【０２７０】
第一カバー部材３８１の長さ方向の一端側（図３９の左端）には雄連結具３２０Ｃが通過可能な貫通孔３８１Ａが形成されており、他端側（図３９の右端）には連結環１１６が取り付けられている。
【０２７１】
さらに、第一カバー部材３８１の長さ方向と直交する方向における両端には一対の貫通孔３８１Ｂが形成されている。
【０２７２】
第二カバー部材３８２の長さ方向と直交する方向における両端には一対の突出壁部３８５が形成されており、各突出壁部３８５には貫通孔３８５Ａが形成されている。
【０２７３】
後述するように、雌連結具３１０Ｃの係合部材３８４の各突出部３８４Ｂを第一カバー部材３８１及び第二カバー部材３８２の内部から第一カバー部材３８１の貫通孔３８１Ｂ及び第二カバー部材３８２の貫通孔３８５Ａに挿入することにより、第一カバー部材３８１と第二カバー部材３８２とは、貫通孔３８１Ｂ、３８５Ａを中心として、相互に回動可能に連結される。第一カバー部材３８１と第二カバー部材３８２とをこのように連結させることによって、第一カバー部材３８１及び第二カバー部材３８２の内部には中空の空間３８６が形成される。
【０２７４】
雌連結具３１０Ｃはこのようにして形成される空間３８６の内部に位置決めされた状態で配置され、以下に述べるように、雄連結具３２０Ｃが空間３８６の内部に挿入されたときに、雄連結具３２０Ｃを支持する機能を奏する。
【０２７５】
以上のような構造を有する本変形例に係る連結具３００Ｃは、以下のようにして、組み立てられる。
【０２７６】
最初に、雌連結具３１０Ｃの係合部材３８４の各突出部３８４Ｂを第二カバー部材３８２の貫通孔３８５Ａの各々に第二カバー部材３８２の内部から嵌め入れる。
【０２７７】
次いで、第二カバー部材３８２の貫通孔３８５Ａから外側に突出している各突出部３８４Ｂを第一カバー部材３８１の内側から第一カバー部材３８１の貫通孔３８１Ｂに嵌め合わせる。これにより、第一カバー部材３８１と第二カバー部材３８２とは貫通孔３８１Ｂ、３８５Ａを中心として相互に回動可能に連結される。
【０２７８】
以上のような連結具３００Ｃの組み立ては全て手作業で行うことが可能である。
【０２７９】
以上のように組み立てられた連結具３００Ｃは以下のように使用される。
【０２８０】
まず、ネックレスその他のライン状装身具の一端を第一カバー部材３８１の連結環１１６に、他端を雄連結具３２０Ｃの連結環１２２に結合する。これにより、雄連結具３２０Ｃを雌連結具３１０Ｃに挿入すれば、ライン状装身具はリング状になり、雄連結具３２０Ｃを雌連結具３１０Ｃから外せば、ライン状装身具はライン状に戻る。
【０２８１】
雄連結具３２０Ｃを雌連結具３１０Ｃの内部に挿入する場合には、雄連結具３２０Ｃを第一カバー部材３８１の貫通孔３８１Ａに挿入し、次いで、空間３８６の内部に配置されている雌連結具３１０Ｃの内部に挿入する。図９に示した連結具１００ＣＡと同様にして、雄連結具３２０Ｃは雌連結具３１０Ｃの内部に固定される。
【０２８２】
「雄連結具３２０Ｃを雌連結具３１０Ｃの内部から取り外す場合には、第一カバー部材３８１の左側部分を下方に、第二カバー部材３８２の左側半分を上方に押す。すなわち、第一カバー部材３８１は貫通孔３８１Ｂを中心として反時計方向に回動し、第二カバー部材３８２は貫通孔３８５Ａに沿って上方に動くように、第一カバー部材３８１及び第二カバー部材３８２を付勢する。
【０２８３】
これにより、雌連結具３１０Ｃの第一延長部１１２の第二部分１１２ＢＡは下方に、第二延長部１１３の第二部分１１３ＢＡは上方に移動するため、雄連結具３２０Ｃのリング状溝３２１Ｃと雌連結具３１０Ｃとの係合が解除される。
【０２８４】
第一カバー部材３８１及び第二カバー部材３８２を押した状態を維持しつつ、雄連結具３２０Ｃを挿入方向Ａとは反対の方向に引っ張ることにより、雄連結具３２０Ｃを雌連結具３１０Ｃから抜き出すことができる。
【０２８５】
雄連結具３２０Ｃを雌連結具３１０Ｃから抜き出した後、第一カバー部材３８１及び第二カバー部材３８２を押すことをやめれば（すなわち、第一カバー部材３８１及び第二カバー部材３８２から指を離せば）、雌連結具３１０Ｃの弾性力によって、第一カバー部材３８１は貫通孔３８１Ｂを中心として時計回りの方向に回動し、さらに、第二カバー部材３８２は貫通孔３８５Ａに沿って下方に移動し、それぞれ元の位置（図３９に示す位置）に復帰する。
【０２８６】
以上のように、本変形例に係る連結具３００Ｃによっても、第一の実施形態に係る連結具１００と同様の効果を奏することができるとともに、収納部材としての第一カバー部材３８１及び第二カバー部材３８２を用いることにより、外観を向上させるとともに、雌連結具３１０Ｃを衝撃から防護することが可能である。
【０２８７】
なお、本変形例に係る連結具３００Ｃは図９及び図１０に示した連結具１００ＣＡの応用例として示したが、連結具１００ＣＡに代えて、図１１及び図１２に示した連結具１００Ｄの応用例とすることも可能である。
【０２８８】
（第四の変形例）
図４０は本発明の第三の実施形態の第四の変形例に係る連結具３００Ｄの分解斜視図、図４１は雄連結具を雌連結具に挿入していない場合の連結具３００Ｄの正面図、図４２は雄連結具を雌連結具に挿入している場合の連結具３００Ｄの横断面図である。
【０２８９】
本変形例に係る連結具３００Ｄは、図１３及び図１４に示した連結具１００Ｅと、収納部材３９０と、から構成されている。
【０２９０】
収納部材３９０は両端が開口している円筒形のパイプをなしており、周壁には１個の開口部３９１が形成されている。
【０２９１】
連結具１００Ｅの雌連結具１１０Ｅにおける連結壁１１１Ｃの左右両縁は円弧状に湾曲した湾曲壁１１１Ｄを構成している。湾曲壁１１１Ｄは収納部材３９０の内壁と同じ曲率を有しており、雌連結具１１０Ｅを収納部材３９０の内部に挿入すると、湾曲壁１１１Ｄは収納部材３９０の内壁と密着した状態になる。
【０２９２】
図４２に示すように、雌連結具１１０Ｅを収納部材３９０の内部に挿入した後、収納部材３９０の両端を内側に折り曲げる。これにより、雌連結具１１０Ｅは収納部材３９０の内部に固定される。
【０２９３】
本変形例に係る連結具３００Ｄの使用方法は図１３及び図１４に示した連結具１００Ｅの使用方法と同様である。
【０２９４】
以上のように、本変形例に係る連結具３００Ｄによっても、第一の実施形態に係る連結具１００と同様の効果を奏することができるとともに、収納部材３９０を用いることにより、外観を向上させるとともに、雌連結具１１０Ｅを衝撃から防護することが可能である。
【０２９５】
（第五の変形例）
図３７は本発明の第三の実施形態の第五の変形例に係る連結具３００Ｅの分解斜視図、図３８は雄連結具を雌連結具に挿入していない場合の連結具３００Ｅの正面図、図３９は雄連結具を雌連結具に挿入している場合の連結具３００Ｅの横断面図である。
【０２９６】
本変形例に係る連結具３００Ｅは、図１３及び図１４に示した連結具１００Ｅと、収納部材３９０と、連結環３９５と、から構成されている。
【０２９７】
収納部材３９０は両端が開口している円筒形のパイプをなしており、周壁には１個の開口部３９１が形成されている。
【０２９８】
連結具３００Ｅにおける雌連結具１１０Ｅには、図１３及び図１４に示した雌連結具１１０Ｅとは異なり、連結環１１６は形成されていない。
【０２９９】
連結具３００Ｅにおける雌連結具１１０Ｅに連結環１１６が形成されていないことに代えて、連結具３００Ｅは連結環３９５を有するものとして構成されている。連結環３９５は、収納部材３９０の中を通過可能な大きさのドーム状の先端部３９５Ａと、先端部３９５Ａの底面の直径より大きく、かつ、収納部材３９０の内径と等しい直径を有する円形状のベース部３９５Ｂと、ベース部３９５Ｂの両端から突出する一対の突出部３９５Ｃと、を備えている。
【０３００】
先端部３９５Ａには、ライン状装身具の一端を通す孔３９５Ｄが形成されている。
【０３０１】
また、一対の突出部３９５Ｃの間には雌連結具１１０Ｅの連結壁１１１Ｃを挟み込むことができるようになっている。また、突出部３９５Ｃの外周面は収納部材３９０の内壁と同一の曲率を有する曲面となっている。
【０３０２】
本変形例に係る連結具３００Ｅは以下のようにして組み立てられる。
【０３０３】
まず、連結環３９５の一対の突出部３９５Ｃの間に雌連結具１１０Ｅの連結壁部１１１Ｃを挟み込む。
【０３０４】
次いで、連結環３９５及び雌連結具１１０Ｅを収納部材３９０の中に通し、図３９に示すように、連結環３９５の先端部３９５Ａを収納部材３９０の一端から露出させる。
【０３０５】
その後、収納部材３９０の両端を折り曲げることにより、連結環３９５の先端部３９５Ａが収納部材３９０の外側に露出した状態を維持して、連結環３９５及び雌連結具１１０Ｅは収納部材３９０の内部に固定される。
【０３０６】
本変形例に係る連結具３００Ｅの使用方法は図１３及び図１４に示した連結具１００Ｅの使用方法と同様である。
【０３０７】
以上のように、本変形例に係る連結具３００Ｅによっても、第一の実施形態に係る連結具１００と同様の効果を奏することができるとともに、収納部材３９０を用いることにより、外観を向上させるとともに、雌連結具１１０Ｅを衝撃から防護することが可能である。
【０３０８】
（第六の変形例）
図４０は本発明の第三の実施形態の第六の変形例に係る連結具３００Ｆの分解斜視図、図４１は雄連結具を雌連結具に挿入していない場合の連結具３００Ｆの正面図、図４２は雄連結具を雌連結具に挿入している場合の連結具３００Ｆの横断面図である。
【０３０９】
本変形例に係る連結具３００Ｆは、雌連結具３１０Ｆ、雄連結具３２０Ｆと、収納部材３９０と、連結環３９６と、リング３９７と、押しボタン３９８と、から構成されている。
【０３１０】
雌連結具３１０Ｆは図１３に示した雌連結具１１０Ｅと次の３点において構造的に相違している。
【０３１１】
第一に、雌連結具１１０Ｅは連結環１１６を有しているのに対して、雌連結具３１０Ｆは結環１１６を有していない。
【０３１２】
第二に、雌連結具１１０Ｅにおける第一延長部１１２５は、雌連結具１１０Ｅの一端から延び、湾曲している第一部分１１２５Ａを有しているが、雌連結具３１０Ｆにおける第一延長部１１２５の第一部分１１２５Ａは雌連結具３１０Ｆの他端から延びており、湾曲しておらず、平板状である。
【０３１３】
第三に、雌連結具３１０Ｆの第一壁部１１１Ａの先端には切り欠き３９９が形成されている。
【０３１４】
収納部材３９０は両端が開口している円筒形のパイプをなしており、周壁には１個の開口部３９１が形成されている。
【０３１５】
連結環３９６は、収納部材３９０の中を通過可能な大きさのドーム状の先端部３９６Ａと、先端部３９５Ａの底面の直径より大きく、かつ、収納部材３９０の内径と等しい直径を有する円形状のベース部３９６Ｂと、を備えている。
【０３１６】
先端部３９６Ａには、ライン状装身具の一端を通す孔３９６Ｄが形成されている。
【０３１７】
リング３９７は弾性材料からなる。
【０３１８】
押しボタン３９８は、収納部材３９０の開口部３９１に嵌合可能な第一部分３９８Ａと、開口部３９１より大きなサイズを有しており、開口部３９１を通過できない第二部分３９８Ｂと、第二部分３９８Ｂの先端に形成され、下方に屈曲しているフック部分３９８Ｃと、から構成されている。
【０３１９】
図４２に示すように、押しボタン３９８は雌連結具３１０Ｆと収納部材３９０の間に挟まれた状態で収納部材３９０の内部に収納される。この状態においては、第一部分３９８Ａが収納部材３９０の開口部３９１から外部に突出しており、第二部分３９８Ｂは雌連結具３１０Ｆの第一壁部１１１Ａと収納部材３９０の内壁との間に挟まれ、フック部分３９８Ｃは雌連結具３１０Ｆの第一壁部１１１Ａに形成された切り欠き３９９に係合している。
【０３２０】
押しボタン３９８にフック部分３９８Ｃを設け、このフック部分３９８Ｃを雌連結具３１０Ｆの切り欠き３９９に係合させるのは、雌連結具３１０Ｆをカバー部材３９０の内部に装着したときに、雌連結具３１０Ｆがカバー部材３９０の内部において回転することを防止するためである。
【０３２１】
本変形例に係る連結具３００Ｆは以下のようにして組み立てられる。
【０３２２】
まず、連結環３９６を収納部材３９０の中に通し、図４２に示すように、連結環３９６の先端部３９６Ａを収納部材３９０の一端から露出させる。
【０３２３】
次いで、リング３９７を収納部材３９０の中に入れ、連結環３９６に隣接させる。
【０３２４】
次いで、押しボタン３９８のフック部分３９８Ｃを雌連結具３１０Ｆの切り欠き３９９に係合させ、押しボタン３９８を押して、雌連結具３１０Ｆの第一壁部１１１Ａを撓ませた状態で、雌連結具３１０Ｆを収納部材３９０の中に挿入する。
【０３２５】
押しボタン３９８の第一部分３９８Ａが収納部材３９０の開口部３９１から突出するまで、雌連結具３１０Ｆを収納部材３９０の中に押し込む。
【０３２６】
その後、収納部材３９０の両端を折り曲げることにより、連結環３９６の先端部３９６Ａが収納部材３９０の外側に露出した状態を維持して、連結環３９６、雌連結具３１０Ｆ及び押しボタン３９８は収納部材３９０の内部に固定される。
【０３２７】
本変形例に係る連結具３００Ｆの使用方法は図１３及び図１４に示した連結具１００Ｅの使用方法と同様である。
【０３２８】
以上のように、本変形例に係る連結具３００Ｆによっても、第一の実施形態に係る連結具１００と同様の効果を奏することができるとともに、収納部材３９０を用いることにより、外観を向上させるとともに、雌連結具３１０Ｆを衝撃から防護することが可能である。
【産業上の利用可能性】
【０３２９】
以上の実施形態及び変形例においては、本発明に係る連結具を装身具用の連結具として例示したが、本発明に係る連結具は、装身具に限定されず、ライン状の物品の両端を取り外し自在に連結するための道具として広く用いることが可能である。例えば、本発明に係る連結具は、ＩＤカードを吊り下げる紐の連結具、写真やカレンダーなどを吊り下げるための紐の連結具、照明器具に装飾物を取り付ける際の紐の連結具、暖簾などのインテリア雑貨の連結具などとして使用することが可能である。
【０３３０】
また、ライン状の物品のみならず、第一の部材と第二の部材とを取り外し自在に連結するための連結具として使用することも可能である。例えば、服飾品におけるボタンの代替品としての連結具として用いることも可能である。
【符号の説明】
【０３３１】
１００  本発明の第一の実施形態に係る連結具
１１０  雌連結具
１１１  本体
１１２  第一延長部
１１３  第二延長部
１２０  雄連結具
１００Ａ  第一の実施形態の第一の変形例に係る連結具
１００Ｂ  第一の実施形態の第二の変形例に係る連結具
１００Ｃ  第一の実施形態の第三の変形例に係る連結具
１００Ｄ  第一の実施形態の第四の変形例に係る連結具
１００Ｅ  第一の実施形態の第五の変形例に係る連結具
１００Ｆ  第一の実施形態の第六の変形例に係る連結具
２００  本発明の第二の実施形態に係る連結具
３００  本発明の第三の実施形態に係る連結具
３１０  雌連結具
３２０  雄連結具
３３０  収納部材
３３１  連結環
３４０  押圧用ブロック
３００Ａ  本発明の第三の実施形態の第一の変形例に係る連結具
３００Ｂ  本発明の第三の実施形態の第二の変形例に係る連結具
３００Ｃ  本発明の第三の実施形態の第三の変形例に係る連結具
３００Ｄ  本発明の第三の実施形態の第四の変形例に係る連結具
３００Ｅ  本発明の第三の実施形態の第五の変形例に係る連結具
３００Ｆ  本発明の第三の実施形態の第六の変形例に係る連結具
【図１】
2013236924.tif 000003
【図２】
2013236924.tif 000004
【図３】
2013236924.tif 000005
【図４】
2013236924.tif 000006
【図５】
2013236924.tif 000007
【図６】
2013236924.tif 000008
【図７】
2013236924.tif 000009
【図８】
2013236924.tif 000010
【図９】
2013236924.tif 000011
【図１０】
2013236924.tif 000012
【図１１】
2013236924.tif 000013
【図１２】
2013236924.tif 000014
【図１３】
2013236924.tif 000015
【図１４】
2013236924.tif 000016
【図１５】
2013236924.tif 000017
【図１６】
2013236924.tif 000018
【図１７】
2013236924.tif 000019
【図１８】
2013236924.tif 000020
【図１９】
2013236924.tif 000021
【図２０】
2013236924.tif 000022
【図２１】
2013236924.tif 000023
【図２２】
2013236924.tif 000024
【図２３】
2013236924.tif 000025
【図２４】
2013236924.tif 000026
【図２５】
2013236924.tif 000027
【図２６】
2013236924.tif 000028
【図２７】
2013236924.tif 000029
【図２８】
2013236924.tif 000030
【図２９】
2013236924.tif 000031
【図３０】
2013236924.tif 000032
【図３１】
2013236924.tif 000033
【図３２】
2013236924.tif 000034
【図３３】
2013236924.tif 000035
【図３４】
2013236924.tif 000036
【図３５】
2013236924.tif 000037
【図３６】
2013236924.tif 000038
【図３７】
2013236924.tif 000039
【図３８】
2013236924.tif 000040
【図３９】
2013236924.tif 000041
【図４０】
2013236924.tif 000042
【図４１】
2013236924.tif 000043
【図４２】
2013236924.tif 000044